【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
処理対象材を溶融するためのプロセスにおいて、
前記処理対象材をコンテナ内に入れる段階と、
前記処理対象材を、前記コンテナ内で、前記処理対象材が溶融して溶融した材料となるまで加熱する段階と、
前記溶融した材料を前記コンテナ内で冷却し、固体化した材料とする段階と、から成るプロセス。
【請求項２】
前記コンテナを、中に入った前記材料と共に処分する段階を更に含んでいる、請求項１に記載のプロセス。
【請求項３】
前記コンテナは、処分される際に蓋又はカバーを含んでいる、請求項２に記載のプロセス。
【請求項４】
前記コンテナはフードを含んでいる、請求項１に記載のプロセス。
【請求項５】
前記フードは、気体を集める構造を有している、請求項４に記載のプロセス。
【請求項６】
前記溶融した材料を冷却できるようになった後で、前記フードを取り外す段階と、
蓋又はカバーをコンテナの上に配置する段階と、
前記固体化した材料を中に含んでいる前記コンテナを処分する段階と、を更に含んでいる、請求項４に記載のプロセス。
【請求項７】
前記処理対象材は、前記処理対象材内に配置されている少なくとも２つの電極によって加熱され、前記少なくとも２つの電極の間に電流を流している、請求項１に記載のプロセス。
【請求項８】
材料の始動経路が、前記処理対象材を加熱する前に、前記少なくとも２つの電極の間に設置されるようになっている、請求項７に記載のプロセス。
【請求項９】
前記コンテナは、蓋又はカバーを更に含んでおり、前記電極が、前記フードを貫通して前記処理対象材内へと伸張している、請求項７に記載のプロセス。
【請求項１０】
前記コンテナは、蓋又はカバーを更に含んでおり、少なくとも１つの加熱要素が、前記蓋又はカバーを貫通して前記処理対象材内へと伸張している、請求項９に記載のプロセス。
【請求項１１】
前記処理対象材は、前記処理対象材内に配置され、前記処理対象材を通して熱を送る少なくとも１つの加熱要素によって加熱されるようになっている、請求項１に記載のプロセス。
【請求項１２】
前記コンテナは、蓋又はカバーを更に含んでおり、前記電極が、前記フードを貫通して前記処理対象材内へと伸張している、請求項１１に記載のプロセス。
【請求項１３】
前記コンテナは、蓋又はカバーを更に含んでおり、少なくとも１つの加熱要素が、前記蓋又はカバーを貫通して前記処理対象材内へと伸張している、請求項１１に記載のプロセス。
【請求項１４】
前記固体化した材料を前記コンテナから取り外す段階を更に含んでいる、請求項１に記載のプロセス。
【請求項１５】
前記コンテナは、断熱層を含んでいる、請求項１に記載のプロセス。
【請求項１６】
前記断熱層は断熱ボードを備えている、請求項１５に記載のプロセス。
【請求項１７】
前記コンテナは、耐熱材を更に含んでいる、請求項１５に記載のプロセス。
【請求項１８】
前記コンテナは、耐熱材を更に含んでいる、請求項１に記載のプロセス。
【請求項１９】
添加剤が、前記処理対象材に加えられる、請求項１に記載のプロセス。
【請求項２０】
前記添加剤は、前記処理対象材の導電性を増す、請求項１９に記載のプロセス。
【請求項２１】
前記添加剤は、前記処理対象材に含まれている金属の酸化を促進する、請求項１９に記載のプロセス。
【請求項２２】
前記添加剤は、前記処理対象材内の有害物の崩壊を促進する、請求項１９に記載のプロセス。
【請求項２３】
前記添加剤は、塩化有機物のような或る種の汚染物質の崩壊を促進する、請求項１９に記載のプロセス。
【請求項２４】
前記添加剤は、前記固体化した材料の耐久性の改良を促進する、請求項１９に記載のプロセス。
【請求項２５】
前記添加剤は、溶融温度を上げ下げするのを助長する、請求項１９に記載のプロセス。
【請求項２６】
前記コンテナは空洞を有しており、前記空洞内に砂の層を含んでいる、請求項１に記載のプロセス。
【請求項２７】
前記コンテナは、空洞を有しており、前記空洞内に配置されている滑動型枠を含んでいる、請求項１に記載のプロセス。
【請求項２８】
前記コンテナはコンテナ壁を有しており、前記コンテナ壁と前記滑動型枠の間に開口が設けられている、請求項２７に記載のプロセス。
【請求項２９】
前記開口内に砂を入れる段階を更に含んでいる、請求項２８に記載のプロセス。
【請求項３０】
前記滑動型枠を前記コンテナから取り外し、前記砂をそのまま残しておく段階を更に含んでいる、請求項２９に記載のプロセス。
【請求項３１】
前記滑動型枠は前記コンテナから取り外さないようになっている、請求項２９に記載のプロセス。
【請求項３２】
前記コンテナは複数の壁を有しており、前記複数の壁と前記滑動型枠の間に開口が設けられている、請求項２７に記載のプロセス。
【請求項３３】
前記開口内に砂を入れる段階を更に含んでいる、請求項３２に記載のプロセス。
【請求項３４】
前記コンテナは、複数の壁と１つの底部を有しており、第１開口は、前期複数の壁と前記滑動型枠の間に設けられており、第２開口は前記底部と前記滑動型枠の間に形成されている、請求項２７に記載のプロセス。
【請求項３５】
前記第１開口と前記第２開口の両方の中に砂を入れる段階を更に含んでいる、請求項３４に記載のプロセス。
【請求項３６】
前記コンテナ内に液体不透過ライナーを設置する段階を更に含んでおり、前記処理対象材は、前記ライナー内に入れられるようになっている、請求項１に記載のプロセス。
【請求項３７】
前記処理対象材は、前記コンテナ内に入れられている１つ又は複数のドラム缶内に入っている、請求項１に記載のプロセス。
【請求項３８】
複数のドラム缶があり、前記ドラム缶の間には空所がある、請求項３７に記載のプロセス。
【請求項３９】
前記空所には土が詰め込まれている、請求項３８に記載のプロセス。
【請求項４０】
前記処理対象材は、前記コンテナ内に入れられている１つ又は複数のボックス内に入っている、請求項１に記載のプロセス。
【請求項４１】
複数のボックスがあり、前記ボックスの間には空所がある、請求項４０に記載のプロセス。
【請求項４２】
前記空所内には土が詰め込まれている、請求項４１に記載のプロセス。
【請求項４３】
前記処理対象材を、加熱する前に土で覆う段階を更に含んでいる、請求項１に記載のプロセス。
【請求項４４】
前記処理対象材は、土と混ぜ合わされるようになっている、請求項１に記載のプロセス。
【請求項４５】
前記処理対象材は土の材料である、請求項１に記載のプロセス。
【請求項４６】
前記処理対象材は、土の材料を含んでいる、請求項１に記載のプロセス。
【請求項４７】
前記処理対象材は、放射性物質を含んでいる、請求項１に記載のプロセス。
【請求項４８】
前記処理対象材は、有害な非放射性物質を含んでいる、請求項１に記載のプロセス。
【請求項４９】
前記処理対象材は、有害物質、有機化合物、及び無機化合物から成るグループの１つ又はそれ以上を含んでいる、請求項１に記載のプロセス。
【請求項５０】
前記処理対象材を加熱することによって生成される気体を捕捉する段階を更に含んでいる、請求項１に記載のプロセス。
【請求項５１】
前記捕捉された気体は処理されるようになっている、請求項５０に記載のプロセス。
【請求項５２】
追加の前記処理対象材が、前記コンテナ内に配置されている、請求項１に記載のプロセス。
【請求項５３】
前記追加の処理対象材は、能動的供給法を使って前記コンテナに加えられる、請求項５２に記載のプロセス。
【請求項５４】
前記処理する追加材料は、受動的供給法を使って前記コンテナに加えられる、請求項５２に記載のプロセス。
【請求項５５】
処理対象材を溶融する際に用いるコンテナにおいて、
前記コンテナは空洞を画定しており、前記処理対象材を前記空洞内に受け入れ、前記処理対象材を、前記空洞内で加熱し、更に、前記空洞内に滑動型枠を含んでいるコンテナ。
【請求項５６】
壁と、前記壁と前記滑動型枠の間に形成されている開口と、を更に含んでいる、請求項５５に記載のコンテナ。
【請求項５７】
複数の壁と、前記複数の壁と前記滑動型枠の間に形成されている開口と、を更に含んでいる、請求項５５に記載のコンテナ。
【請求項５８】
複数の壁と、１つの底部と、を更に含んでおり、第１開口が前記複数の壁と前記滑動型枠の間に形成され、第２開口が前記底部と前記滑動型枠の間に形成されている、請求項５５に記載のコンテナ。
【請求項５９】
前記開口内の砂を更に含んでいる、請求項５６に記載のコンテナ。
【請求項６０】
前記開口内の砂を更に含んでいる、請求項５７に記載のコンテナ。
【請求項６１】
前記第１開口及び前記第２開口内の砂を更に含んでいる、請求項５８に記載のコンテナ。
【請求項６２】
断熱層を更に含んでいる、請求項５５に記載のコンテナ。
【請求項６３】
前記断熱層は断熱ボードを備えている、請求項６２に記載のコンテナ。
【請求項６４】
耐熱材を更に含んでいる、請求項６２に記載のコンテナ。
【請求項６５】
フードを更に含んでいる、請求項５５に記載のコンテナ。
【請求項６６】
前記フードは、気体を回収する構造を有している、請求項６５に記載のコンテナ。
【請求項６７】
前記処理対象材を受け入れるように構成されている液体不透過ライナーを更に含んでいる、請求項５５に記載のコンテナ。
【請求項６８】
鋼で構成されている、請求項５５に記載のコンテナ。